(57)【要約】【課題】  アライメントが容易に行え、良好な眼底像を撮影できる。【解決手段】  被検者眼の前眼部を撮像する第１撮像素子とを持つ前眼部観察光学系と、照明光学系により照明された被検者眼の眼底を撮像するための第２撮像素子を持つ眼底観察光学系と、第１撮像素子により撮像された前眼部像と前記第２撮像素子により撮像された眼底像とを切り換え表示可能な表示手段と、を有する眼底カメラにおいて、  表示手段の観察像の表示状態を前記第１撮像素子による前眼部像表示から前記第２撮像素子による眼底像表示に切り換える表示切換手段と、を有し、  表示切換手段による観察像切り換え時におけるアライメント位置が第１アライメント基準に基づいて位置決めされたアライメント位置でない場合には，第１撮像素子の撮像結果に基づいて第２のアライメント基準を設定し観察像を眼底像とした状態におけるアライメント基準とする。【選択図】      図５
2008006103.tif 000002
【特許請求の範囲】
【請求項１】
被検者眼の前眼部を撮像する第１撮像素子とを持つ前眼部観察光学系と、照明光学系により照明された被検者眼の眼底を撮像するための第２撮像素子を持つ眼底観察光学系と、前記第１撮像素子により撮像された前眼部像と前記第２撮像素子により撮像された眼底像とを切り換え表示可能な表示手段と、を有する眼底カメラにおいて、
前記表示手段により前眼部像を表示した状態において装置本体を被検者眼に対して所定位置にアライメントするための第１のアライメント基準を設定するアライメント設定手段と、
前記表示手段の観察像の表示状態を前記第１撮像素子による前眼部像表示から前記第２撮像素子による眼底像表示に切り換える表示切換手段と、を有し、
前記アライメント設定手段は前記表示切換手段による観察像切り換え時における前記装置本体のアライメント位置が前記第１アライメント基準に基づいて位置決めされたアライメント位置でない場合には，前記観察像切り換え時における前記第１撮像素子の撮像結果に基づいて第２のアライメント基準を設定し該第２アライメント基準を前記観察像を眼底像とした状態におけるアライメント基準とする、
ことを特徴とする眼底カメラ。
【請求項２】
請求項１の眼底カメラは、被検者眼の前眼部にアライメント指標を投影するアライメント指標投影光学系を有し、
前記アライメント設定手段は、表示切換手段による切り換え時における前記第１撮像素子に受光される前記アライメント指標の受光位置に基づいて第２のアライメント基準を設定することを特徴とする眼底カメラ。
【請求項３】
請求項１の眼底カメラは、さらに前記第１撮像素子によって得られる前眼部像から瞳孔位置を検出する瞳孔位置検出手段と、該瞳孔位置検出手段からの検出結果に基づいて眼底に照射する照明光束が被検者眼の虹彩にけられることなく前記瞳孔を通過可能か否かを判定する判定手段と、該判定手段の判定結果に基づいて前記照明光束が虹彩にけられない位置または方向を求め装置本体のアライメントを誘導する誘導手段と、を備えることを特徴とする眼底カメラ。
【請求項４】
請求項３の眼底カメラにおいて、被検者眼の前眼部にアライメント指標を投影するアライメント指標投影光学系と、
前記第１撮像素子によって得られるアライメント指標の受光位置に基づいて角膜頂点位置を検出する角膜頂点位置検出手段と、
前記角膜頂点位置手段によって検出される角膜頂点位置と前記第１のアライメント基準とに基づいて被験者眼に対する装置本体のアライメント偏位量を検出するアライメント検出手段と、を有し、
前記誘導手段は、前記アライメント検出手段の検出結果に基づいて前記アライメント偏位量が所定の許容範囲を満たすように装置本体のアライメントを誘導した後、前記判定手段の判定結果に基づいて前記照明光束が虹彩にけられない位置または方向を求め装置本体のアライメントを誘導することを特徴とする眼底カメラ。
【請求項５】
請求項１の眼底カメラにおいて、
前記アライメント設定手段によって設定される所定のアライメント基準を基準としてアライメント偏位量を検出するアライメント検出手段と、
前記アライメント検出手段の検出結果に基づいてアライメント完了するように前記装置本体を駆動する自動アライメント手段と、
眼底観察像に切り換わった後に、前記設定手段によって設定された前記第２のアライメント基準位置を基準として検出されるアライメント偏位量が所定範囲から外れたときに前記自動アライメントの作動を開始させる制御手段と、を備えることを特徴とする眼底カメラ。
【請求項６】
請求項１の眼底カメラにおいて、
前記アライメント設定手段によって設定される所定のアライメント基準を基準としてアライメント偏位量を検出するアライメント検出手段と、
被験者眼の眼底像が表示された前記表示手段の画面上にアライメント指標を電子的に表示し、前記設定手段によって設定された前記第２のアライメント基準を基準として検出されるアライメント偏位量に基づいて前記アライメント指標を表示制御する表示制御手段と、を備えることを特徴とする眼底カメラ。
【発明の詳細な説明】
【技術分野】
【０００１】
本発明は、被験者眼の眼底を撮影する眼底カメラに関する。
【背景技術】
【０００２】
被験者眼の眼底を撮影する眼底カメラとしては、被験者眼の角膜頂点に撮影光軸をアライメントして眼底撮影を行うものが一般的である（特許文献１参照）。また、特許文献２には、被験者眼の瞳孔中心に撮影光軸をアライメントして眼底撮影を行う眼底カメラも提案されている。
【特許文献１】特開平８−２７５９２１号公報
【特許文献２】特開平１０−２９５６４４号公報
【発明の開示】
【発明が解決しようとする課題】
【０００３】
ところで、眼底の周辺撮影時では、角膜頂点と瞳孔中心の偏心が大きくなる。このため、角膜頂点にアライメントする場合、被験者眼の虹彩によって眼底照明光が遮光されてやすく、照明光量不足で眼底画像の一部が暗くなる可能性がある。また、瞳孔中心にアライメントする場合、角膜頂点にアライメントする手法と比較すると、角膜や水晶体の反射によるフレアが眼底画像に発生しやすい。すなわち、良好な眼底画像を撮影するためには、被検眼に対するアライメントにおいて、細かい調整が必要とされる。
【０００４】
本発明は、上記従来技術の問題点に鑑み、アライメント調整が容易に行え、良好な眼底像を撮影できる眼底カメラを提供することを技術課題とする。
【課題を解決するための手段】
【０００５】
上記課題を解決するために、本発明は以下のような構成を備えることを特徴とする。
【０００６】
（１）  被検者眼の前眼部を撮像する第１撮像素子とを持つ前眼部観察光学系と、照明光学系により照明された被検者眼の眼底を撮像するための第２撮像素子を持つ眼底観察光学系と、前記第１撮像素子により撮像された前眼部像と前記第２撮像素子により撮像された眼底像とを切り換え表示可能な表示手段と、を有する眼底カメラにおいて、
前記表示手段により前眼部像を表示した状態において装置本体を被検者眼に対して所定位置にアライメントするための第１のアライメント基準を設定するアライメント設定手段と、
前記表示手段の観察像の表示状態を前記第１撮像素子による前眼部像表示から前記第２撮像素子による眼底像表示に切り換える表示切換手段と、を有し、
前記アライメント設定手段は前記表示切換手段による観察像切り換え時における前記装置本体のアライメント位置が前記第１アライメント基準に基づいて位置決めされたアライメント位置でない場合には，前記観察像切り換え時における前記第１撮像素子の撮像結果に基づいて第２のアライメント基準を設定し該第２アライメント基準を前記観察像を眼底像とした状態におけるアライメント基準とする、
ことを特徴とする。
（２）  （１）の眼底カメラは、被検者眼の前眼部にアライメント指標を投影するアライメント指標投影光学系を有し、
前記アライメント設定手段は、表示切換手段による切り換え時における前記第１撮像素子に受光される前記アライメント指標の受光位置に基づいて第２のアライメント基準を設定することを特徴とする。
（３）  （１）の眼底カメラは、さらに前記第１撮像素子によって得られる前眼部像から瞳孔位置を検出する瞳孔位置検出手段と、該瞳孔位置検出手段からの検出結果に基づいて眼底に照射する照明光束が被検者眼の虹彩にけられることなく前記瞳孔を通過可能か否かを判定する判定手段と、該判定手段の判定結果に基づいて前記照明光束が虹彩にけられない位置または方向を求め装置本体のアライメントを誘導する誘導手段と、を備えることを特徴とする。
（４）  （３）の眼底カメラにおいて、被検者眼の前眼部にアライメント指標を投影するアライメント指標投影光学系と、
前記第１撮像素子によって得られるアライメント指標の受光位置に基づいて角膜頂点位置を検出する角膜頂点位置検出手段と、
前記角膜頂点位置手段によって検出される角膜頂点位置と前記第１のアライメント基準とに基づいて被験者眼に対する装置本体のアライメント偏位量を検出するアライメント検出手段と、を有し、
前記誘導手段は、前記アライメント検出手段の検出結果に基づいて前記アライメント偏位量が所定の許容範囲を満たすように装置本体のアライメントを誘導した後、前記判定手段の判定結果に基づいて前記照明光束が虹彩にけられない位置または方向を求め装置本体のアライメントを誘導することを特徴とする。
（５）  （１）の眼底カメラにおいて、
前記アライメント設定手段によって設定される所定のアライメント基準を基準としてアライメント偏位量を検出するアライメント検出手段と、
前記アライメント検出手段の検出結果に基づいてアライメント完了するように前記装置本体を駆動する自動アライメント手段と、
眼底観察像に切り換わった後に、前記設定手段によって設定された前記第２のアライメント基準位置を基準として検出されるアライメント偏位量が所定範囲から外れたときに前記自動アライメントの作動を開始させる制御手段と、を備えることを特徴とする。
（６）  （１）の眼底カメラにおいて、
前記アライメント設定手段によって設定される所定のアライメント基準を基準としてアライメント偏位量を検出するアライメント検出手段と、
被験者眼の眼底像が表示された前記表示手段の画面上にアライメント指標を電子的に表示し、前記設定手段によって設定された前記第２のアライメント基準を基準として検出されるアライメント偏位量に基づいて前記アライメント指標を表示制御する表示制御手段と、を備えることを特徴とする。
【発明の効果】
【０００７】
本発明によれば、アライメント調整が容易に行え、良好な眼底像を撮影できる。
【発明を実施するための最良の形態】
【０００８】
以下、本発明に係る実施形態を図面に基づいて説明する。図１は本実施形態に係る眼底カメラの外観構成図である。
【０００９】
眼底カメラは、基台１と、基台１に対して左右方向（Ｘ方向）及び前後（作動距離）方向（Ｚ方向）に移動可能な移動台２と、移動台２に対して３次元方向に移動可能に設けられ後述する光学系を収納する撮影部（装置本体）３と、被検者の顔を支持するために基台１に固設された顔支持ユニット５を備える。撮影部３は、移動台２に設けられたＸＹＺ駆動部６により、被験者眼Ｅに対して左右方向、上下方向（Ｙ方向）及び前後方向に移動される。移動台２は、ジョイスティック４の操作により基台１上をＸＺ方向に移動される。また、回転ノブ４ａを回転操作することにより、ＸＹＺ駆動部６がＹ駆動し撮影部３がＹ方向に移動される。なお、撮影部３の検者側には、眼底観察像や眼底撮影像を表示するモニタ８が設けられている。
【００１０】
図２は、撮影部３に収納される光学系及び制御系の概略構成図である。光学系は、照明光学系１０、眼底観察・撮影光学系３０、アライメント指標投影光学系５０、前眼部観察光学系６０、固視標呈示光学系７０から大別構成されている。
【００１１】
＜照明光学系＞  照明光学系１０は、観察照明光学系と撮影照明光学系を有する。撮影照明光学系は、フラッシュランプ等の撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。また、観察照明光学系は、ハロゲンランプ等の光源１１、波長７５０ｎｍ以上の近赤外光を透過する赤外フィルタ１２、コンデンサレンズ１３、コンデンサレンズ１３とリングスリット１７との間に配置されたダイクロイックミラー１６、リングスリット１７から対物レンズ２５までの光学系を有する。ダイクロイックミラー１６は、赤外光を反射し可視光を透過する特性を持つ。
【００１２】
＜眼底観察・撮影光学系＞  眼底観察・撮影光学系３０は、対物レンズ２５、孔あきミラー２２の開口近傍に位置する撮影絞り３１、光軸方向に移動可能なフォーカシングレンズ３２、結像レンズ３３、眼底撮影時には挿脱機構３９により光路から挿脱可能な跳ね上げミラー３４を備え、撮影光学系と眼底観察光学系は対物レンズ２５と撮影絞り３１から結像レンズ３３までの光学系を共用する。撮影絞り３１は対物レンズ２５に関して被験者眼Ｅの瞳孔と略共役な位置に配置されている。フォーカシングレンズ３２は、モータを備える移動機構４９により光軸方向に移動される。３５は可視域に感度を有する撮影用二次元撮像素子である。跳ね上げミラー３４の反射方向の光路には、赤外光反射、可視光透過の特性を有するダイクロイックミラー３７、リレーレンズ３６、赤外域に感度を有する観察用二次元撮像素子３８が配置されている。
【００１３】
また、対物レンズ２５と孔あきミラー２２の間には、光路分岐部材としての挿脱可能なダイクロイックミラー（波長選択性ミラー）２４が斜設されている。ダイクロイックミラー２４は、アライメント指標投影光学系５０及び前眼部照明光源５８の波長光（中心波長９４０ｎｍ）を反射し、眼底観察用照明の波長光及びフォーカス指標投影光学系４０の光源波長（中心波長８８０ｎｍ）を含む波長９００ｎｍ以下を透過する特性を有する。撮影時には、ダイクロイックミラー２４は挿脱機構６６により連動して跳ね上げられ、光路外に退避する。挿脱機構６６は、ソレノイドとカム等により構成することができる。
【００１４】
観察用の光源１１を発した光束は、赤外フィルタ１２により赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、ダイクロイックミラー２４を透過し、対物レンズ２５により被験者眼Ｅの瞳孔付近で一旦収束した後、拡散して被験者眼眼底部を照明する。
【００１５】
また、眼底からの反射光は、対物レンズ２５、ダイクロイックミラー２４、孔あきミラー２２の開口部、撮影絞り３１、フォーカシングレンズ３２、結像レンズ３３、跳ね上げミラー３４、ダイクロイックミラー３７、リレーレンズ３６を介して撮像素子３８に結像する。撮像素子３８の出力は制御部８０に入力され、図７に示すようにモニタ８には二次元撮像素子３８に撮像された眼底観察像が表示される。
【００１６】
また、撮影光源１４の発光により、眼底は可視光により照明され、眼底からの反射光は対物レンズ２５、孔あきミラー２２の開口部、撮影絞り３１、フォーカシングレンズ３２、結像レンズ３３、跳ね上げミラー３４を経て二次元撮像素子３５に結像する。
【００１７】
＜アライメント指標投影光学系＞  被験者眼の前眼部にアライメント用指標光束を投影するアライメント指標投影光学系５０は、撮影光軸Ｌ１を中心に左右方向に対称に配置された赤外光源５１とコリメーティングレンズ５２を持つ第１指標投影光学系と、前述の第１指標投影光学系より狭い角度に配置された光軸を持ち光軸Ｌ１が通る垂直平面を挟んで左右対称に配置された第２指標投影光学系であって２つの赤外光源５３を持つ第２指標投影光学系と、を備える。第１指標投影光学系は被験者眼Ｅの角膜に無限遠の指標を投影し、第２指標投影光学系は被験者眼Ｅの角膜に有限遠の指標を投影する構成となっている。なお、第２指標投影光学系は、投影される指標光束が被験者眼の瞳孔にかからないように、第１指標投影光学系によりも下側に設けられている。
【００１８】
＜前眼部観察光学系＞  前眼部観察光学系６０は、ダイクロイックミラー２４の反射側に、フィールドレンズ６１、ミラー６２、絞り６３、リレーレンズ６４、赤外域の感度を持つ二次元撮像素子６５を備える。また、二次元撮像素子６５はアライメント指標検出用の撮像手段を兼ね、中心波長９４０ｎｍの赤外光を発する前眼部照明光源５８により照明された前眼部とアライメント指標が撮像される。前眼部照明光源５８により照明された前眼部は、対物レンズ２５、ダイクロイックミラー２４及びフィールドレンズ６１からリレーレンズ６４の光学系を介して二次元撮像素子６５により受光される。また、アライメント指標投影光学系５０が持つ光源の点灯により、前眼部に投影されたアライメント指標が二次元撮像素子６５に受光される。二次元撮像素子６５の出力は制御部８０に入力され、図４に示すようにモニタ８には二次元撮像素子６５に撮像された前眼部像Ｆが表示される。なお、前眼部観察光学系６０は、被験者眼に対する装置本体のアライメント状態を検出する役割を兼用する。
【００１９】
また、孔あきミラー２２の穴周辺には、被験者眼の角膜上に光学アライメント指標（ワーキングドットＷ１）を形成するための２つの赤外光源５５（中心波長８８０ｎｍ）が光軸Ｌ１を中心に左右対称に配置される。なお、光源５５としては、光ファイバの端面を孔あきミラー２２の近傍位置に配置し、その光ファイバに赤外光を導くものとして構成することもできる。ここで、光源５５による角膜反射光は、被験者眼Ｅと撮影部３（装置本体）との作動距離が適切になったとき、眼底と略共役位置に配置された撮像素子３８の撮像面上に結像するようになっている。上記の構成は、被験者眼の眼底を観察しながらアライメントの微調整を行うための指標投影光学系として用いられる。この場合、眼底観察光学系３０は、光源５５による角膜反射像を撮像素子３８に導く役割を兼用する。
【００２０】
＜固視標呈示光学系＞  被験者眼の視線を誘導するための固視標呈示光学系７０は、赤色の光源７４、開口穴が形成された８個の遮光板７１を持つ遮光板７１、リレーレンズ７５を備え、ダイクロイックミラー３７を介して跳ね上げミラー３４から対物レンズ２５までの観察光学系３０の光路を共用する。８個の遮光板７１は、それぞれ開口穴７１ａ〜７１ｈを備える。ディスク板７２はパルスモータ７３により回転駆動され、各遮光板７１が選択的に光源７４の前に配置されると、固視標は図３に示す様に、開口穴７１ａ〜７１ｈに対応して、光軸Ｌ２に対し８個の位置８１Ｌ、８１Ｒ、８２〜８７に呈示される。なお、上記構成の詳しい構成については、特開２００４−２９０５３５号公報を参考にされたい。
【００２１】
固視標からの光束は、リレーレンズ７５、ダイクロイックミラー３７、跳ね上げミラー３４、結像レンズ３３、フォーカシングレンズ３２、孔あきミラー２２、ダイクロイックミラー２４、対物レンズ２５を通過して被験者眼眼底に集光し、被検者は所定の開口穴７１ａ〜７１ｈのいずれかからの光束を固視標として視認する。
【００２２】
固視標呈示光学系７０は、眼底中心部を撮影する標準位置と眼底周辺部を撮影する周辺位置とに固視標の呈示位置を変更可能な構成となっている。すなわち、開口穴７１ｂに対応する固視標位置９１Ｒは、右眼の黄班、視神経乳頭をバランスよく含む眼底後極部付近を中心として撮影するときに使用するものであり、この固視標位置９１Ｒが右眼撮影時の標準位置とされる。一方、開口穴７１ａに対応する固視標位置９１Ｌは左眼の黄班、視神経乳頭をバランスよく含む眼底後極部付近を中心に撮影するときに使用するものであり、この固視標位置９１Ｌが左眼撮影時の標準位置とされる。そして、開口穴７１ｃ〜７１ｈに対応する固視標位置９２〜９７が周辺撮影用の位置とされる。
【００２３】
＜制御系＞  二次元撮像素子６５、３８、３５の出力は制御部８０に接続されている。
そして、制御部８０はモニタ８に接続され、撮像素子６５によって撮像された前眼部像と撮像素子３８によって撮像された眼底像がモニタ８の表示画面上で切り換え表示可能な構成となっている。また、制御部８０は二次元撮像素子６５に撮像された前眼部画像からアライメント指標を検出処理し、二次元撮像素子３８に撮像された眼底画像からフォーカス指標を検出処理する。また、制御部８０には、他に、ＸＹＺ駆動部６、移動機構４９、挿脱機構３９、挿脱機構６６、パルスモータ７３、回転ノブ４ａ、撮影スイッチ４ｂ、各種のスイッチを持つスイッチ部８４、記憶手段としてのメモリ８５、各光源等が接続されている。なお、スイッチ部８４には、眼底像のフォーカス調整を行うためのフォーカス調整スイッチ８４ａ、被験者眼に対する固視標の呈示位置を変更するための固視標呈示スイッチ８４ｂ、モニタ８の観察像の表示状態を前眼部像表示から眼底像表示に切り換えるための画面切換スイッチ８４ｃ等が配置されている。
【００２４】
以上のような構成を備える眼底カメラの動作において、眼底の周辺部を撮影する場合について説明する。ここでは、スイッチ８４ｂにより開口穴７１ｆを光源７４の前に配置させる（呈示位置９５）ことにより、右眼における乳頭を中心とする領域を撮影する場合について説明する。なお、図８は、本実施形態の眼底カメラにおいて後述する第２のアライメント基準を設定する場合の動作について説明するためのフローチャートである。
【００２５】
まず、被検者の顔を顔支持ユニット５により支持する。初期段階では、ダイクロイックミラー２４は撮影光学系３０の光路に挿入されており、二次元撮像素子６５に撮像された前眼部像がモニタ８に表示される（図４参照）。検者は、前眼部像がモニタ８に現れるようにジョイスティック４の操作により撮影部３を左右上下に移動する。前眼部像がモニタ８に現われるようになると、４つの指標像Ｍａ，Ｍｂ，Ｍｃ，Ｍｄも現われるようになる。なお、モニタ８の中央（画面中央）には、アライメント基準となるレチクル（十字マーク）Ｍと撮影可能な最小瞳孔径を表す円形マークＰ１とが制御部８０によって電子的に形成されている。なお、円形マークＰ１は、撮影照明光学系１０による眼底照明光が被験者眼瞳孔を通過可能かどうかを判定するためのものである。レチクルＭは撮影光軸Ｌ１の位置を表すもの（アライメント中心）である。この場合、検者は、被験者眼の虹彩がマークＰ１にかかっているかどうか判断することによって、眼底像が良好に撮影できるかどうかを判断できる。そして、検者は、マークＰ１に被験者眼の虹彩がかからないように、被験者眼に対する装置本体のアライメントを行うことにより、眼底照明光の虹彩によるケラレの可能性を回避する。
【００２６】
ここで、二次元撮像素子６５で撮像された４つの指標像Ｍａ〜Ｍｄを含む撮像信号が制御部８０に入力されるようになると、制御部８０は、予め設定された撮像素子上の第１のアライメント基準位置（例えば、撮像素子６５の撮像面と撮影光軸Ｌ１とが交差する位置であって、撮像素子の中心位置）と、これらの指標像の受光位置に基づいて被験者眼に対する装置本体のアライメント偏位量（位置ずれ）を算出（検出）する。なお、第１のアライメント基準位置は、モニタ８によって前眼部像が表示された状態において、装置本体を被験者眼にアライメントするために撮像素子６５上の所定の座標位置に設定される。より具体的には、制御部８０は、図５（ａ）に示すように、指標像Ｍａ，Ｍｂの中間点Ｃの座標を角膜頂点位置の座標として検出し、ＸＹ方向のアライメント基準位置Ｏ1と被験者眼の角膜頂点位置とのアライメント偏位量Δｄ1を求める。そして、制御部８０は、指標像Ｍａ，Ｍｂの中間点Ｃの座標位置に対応するモニタ８の表示位置に角膜頂点マークＣ１を電子的に表示する（図４参照）。
【００２７】
また、Ｚ方向のアライメント偏位量は、指標像Ｍａ，Ｍｂの間隔と指標像Ｍｃ，Ｍｄの間隔とを比較することにより算出される。なお、制御部８０は、撮影部３が作動距離方向にずれた場合に、前述の無限遠指標Ｍａ，Ｍｂの間隔がほとんど変化しないのに対して、指標像Ｍｃ，Ｍｄの像間隔が変化するという特性を利用して、被験者眼に対する作動距離方向のアライメント偏位量を求める（詳しくは、特開平６−４６９９９号参照）。そして、制御部８０は、Ｚ方向についても、Ｚ方向のアライメント基準位置に対する偏位量を求め、その偏位量がアライメント完了の許容範囲に一定時間入っているかにより、Ｚ方向のアライメントの適否を判定する。
【００２８】
そして、制御部８０は、アライメント指標像Ｍａ〜Ｍｄの検出により得られるアライメント偏位量に基づき駆動部６を作動させ、各方向に撮影部３を移動してアライメント調整を行なう。そして、制御部８０は、ＸＹ方向におけるアライメント偏位量Δｄ1が所定の許容範囲Ａ（図５（ａ）参照）に入ると、駆動部６の作動を停止させ、自動アライメント制御を一旦停止する（アライメント許容範囲を一旦広げるようにしてもよい）。また、制御部８０は、前述のように検出されるＺ方向のアライメント偏位量に基づいて所定の適性作動距離を満たすように、撮影部３をＺ方向に移動させる。
【００２９】
図４（ａ）は、被験者眼を周辺固視させた状態で角膜頂点と撮影光軸Ｌ１が一致するようにアライメントを行った際にモニタ８に表示された前眼部観察像を示す例である。この場合、マークＰ１の内側領域に被験者眼の虹彩がかかった状態となっており、撮影する眼底画像の明るさにムラが生じる可能性がある。
【００３０】
そこで、本実施形態において、制御部８０は、眼底に照射する照明光束が被験者眼の虹彩にけられることなく瞳孔を通過可能か否かを判定する。この場合、撮像素子６５の撮像面上において、適正な撮影に必要な範囲（所要瞳孔径）を瞳孔判定領域Ｐとして予め設定しておく。例えば、撮像中心（アライメント基準位置Ｏ1）を基準に、撮影照明光束が通過可能な径（例えば、４ｍｍ）に相当する撮像素子６５の座標位置を瞳孔判定領域Ｐとしてメモリ８５に記憶させておく（図６参照）。なお、撮像素子６５上における瞳孔判定領域Ｐの座標位置は、表示モニタ８に表示される円形マークＰ１の表示位置と対応関係を持たせてある。
【００３１】
ここで、上記のように自動アライメント制御を一旦停止したら、制御部８０は、撮像素子６５によって撮像された前眼部像における瞳孔と虹彩との輝度値の違いなどから画像処理により瞳孔の縁部分（虹彩部分）の位置を検出する。そして、制御部８０は、予め設定された瞳孔判定領域Ｐより内側に瞳孔縁（虹彩部分）が検出されると、撮影照明光束が虹彩によって遮光されると判定する。
【００３２】
そして、制御部８０は、判定結果に基づいて眼底照明光束が虹彩にけられない位置又は方向を求め装置本体のアライメントを誘導する。この場合、制御部８０は、瞳孔判定領域Ｐより内側に瞳孔縁が検出されないようになる位置又は方向に（瞳孔判定条件を満たすまで）、駆動部６を作動させてＸＹ方向に撮影部３を移動（アライメント動作）させる。
【００３３】
例えば、制御部８０は、瞳孔判定領域Ｐより内側に検出される瞳孔縁において、最も撮影光軸Ｌ１に接近していると判断される瞳孔縁部分が検出される方向と逆方向に撮影部３を移動させる。図４（ａ）の場合、左側の瞳孔縁が最も撮影光軸Ｌ１に接近している状態にあるので、制御部８０は、右方向に撮影部３を移動させる。そして、制御部８０は、右方向への撮影部３の移動中、瞳孔判定領域Ｐより内側に瞳孔縁が検出されるか否かを随時判定し、瞳孔判定領域Ｐより内側に瞳孔縁が検出されないようになったら、駆動部６の作動による撮影部３のＸＹ方向への移動を停止する（図４（ｂ）参照）。なお、上記のようなオートアライメント制御でなくとも、判定結果に基づいて眼底照明光束が虹彩にけられない位置又は方向を求め、モニタ８に所定のアライメント指標を電子的に表示することによって、撮影部３のアライメントを誘導するようにしてもよい。
【００３４】
その後、制御部８０はモニタ８の表示を前眼部像から眼底像に自動的に切換える（図７参照）。この場合、表示モニタ８に表示される観察像を前眼部から眼底像に切換える旨をモニタ８などで報知するようにしてもよい。そして、検者は、この報知に応じて、画面切換スイッチ８４ｃを用いて、モニタ８の表示を前眼部像から眼底像に切換える。
【００３５】
以上のような動作によれば、被験者眼の角膜頂点と撮影光軸Ｌ１とのアライメントが行われた後、撮影照明光束のケラレを回避するように装置本体が移動された時点で、撮影部３の移動が停止されるため、被験者眼と撮影部３との位置関係は、撮影照明光束のケラレが回避された状態で、かつ、撮影光軸Ｌ１と角膜頂点とが最低限接近した状態といえる。この状態で前眼部像から眼底像への観察像の切換が行われると、検者に呈示される眼底観察像は、フレアーが少なく、かつ、眼底全体の明るさにムラの少ない良好な眼底像となる。
【００３６】
以下に、モニタ８に表示される観察像が前眼部像から眼底像に切り換わった後の動作について説明する。上記のようにしてモニタ８に表示される観察像が前眼部像から眼底像に切り換えられる際（図７参照）、制御部８０は、観察像切り換え時における装置本体のアライメント位置が第１アライメント基準に基づいて位置決めされたアライメント位置であるかを判定する。ここで、制御部８０は、第１のアライメント基準位置Ｏ1と角膜頂点位置の座標が一致している場合もしくは第１のアライメント基準位置Ｏ1に対して所定の許容範囲内（例えば、許容範囲Ａ）を満たす場合には、第１のアライメント基準を基準としたアライメント偏位量Δｄ１の検出を継続する。これに対して、観察像切り換え時における装置本体のアライメント位置が第１アライメント基準に基づいて位置決めされたアライメント位置でない場合には，観察像切り換え時における撮像素子６５の撮像結果に基づいて第２のアライメント基準を設定し、観察像を眼底像とした状態におけるアライメント基準を第１のアライメント基準から第２のアライメント基準に切り換える。より具体的には、制御部８０は、第１のアライメント基準位置Ｏ1と角膜頂点位置の座標が一致しない場合もしくは第１のアライメント基準位置Ｏ1に対して所定の許容範囲外に（例えば、許容範囲Ａ）ある場合には、撮像素子６５によって撮像されたアライメント指標像Ｍａ〜Ｍｄの受光位置に基づいて中間点Ｃの座標位置（角膜頂点位置）を検出し、撮像素子６５の撮像面上における角膜頂点位置の座標（ＣＣ）を第２のアライメント基準位置Ｏ2として設定する（図６参照）。そして、制御部８０は、前述のように設定変更されたアライメント基準位置Ｏ2と中間点Ｃの座標位置とのアライメント偏位量Δｄ2を検出する（図５（ｂ）参照）。すなわち、制御部８０は、第２のアライメント基準を基準としたアライメント偏位量Δｄ2の検出を行う。この場合、アライメント基準位置Ｏ2はアライメント基準位置Ｏ1に対してΔＤだけずれた位置にある。
【００３７】
言い換えれば、制御部８０は、観察像を前眼部像から眼底像に切り換えるための切換信号が発せられたら、被験者眼に対する装置本体のアライメント偏位量Δｄ1を記憶する。そして、制御部８０は、記憶されたアライメント偏位量分Δｄ1が差し引かれるようにオフセットをかけた上で、被験者眼に対する装置本体のアライメント偏位量を検出する。
【００３８】
さらに、制御部８０は、設定変更されたアライメント基準位置Ｏ2を基準に自動アライメントの許容範囲を設定する。すなわち、制御部８０は、図５（ｂ）のようにアライメント基準位置が設定変更された状態で検出されるアライメント偏位量Δｄ2について、前述の許容範囲Ａより広く設定された許容範囲Ｂに入っているか否かにより、自動アライメントの作動の可否を判定する。
【００３９】
図７は、二次元撮像素子３８によって得られた眼底像に切換えられたときの画面例であり、アライメント状態がある程度適正にされている状態を示している。Ｗ２は制御部８０によって電子的に表示されたアライメント指標である。また、Ｍ２は電子的に表示されたレチクルであり、アライメントを行う際の基準となる。この場合、制御部８０は、アライメント基準位置Ｏ2に対するアライメント偏位量Δｄ2に基づいて固定表示されているレチクルＭ２に対する電子アライメント指標Ｗ２の表示位置を制御する。また、光源５５により形成される角膜反射の２つのワーキングドットＷ１が現われるので、これを見ながらアライメントを行うこともできる。
【００４０】
ここで、検者は、モニタ８の表示された眼底像を見ながらジョイスティック４の手動操作により撮影位置の微調整を行う。この場合、検者は、電子アライメント指標Ｗ２とレチクルＭ２とが合致するようにＸＹ方向のアライメントを調整することにより、モニタ８が眼底観察状態に切り換わった直後の状態に復帰することができる。よって、良好な眼底像が得られる可能性が高いと考えられるアライメント状態に復帰させる際に、前眼部像観察に戻る手間が軽減される。
【００４１】
また、制御部８０は、アライメント偏位量Δｄ2が許容範囲Ｂを超えるまでは自動アライメントの作動を停止し、偏位量Δｄ2が許容範囲Ｂから外れた場合に自動アライメントの作動を開始する。（駆動部６を作動させる。）この場合、設定変更されたアライメント基準位置を基に自動アライメントが行われるため、撮影に適した良好な眼底画像を得るためのアライメント操作が容易となる。なお、モニタ８に眼底像が表示された状態で自動アライメントを作動させる場合、許容範囲Ｂがアライメント基準位置Ｏ1を基準とした場合、撮影に適さない眼底画像が観察像として呈示される可能性が高まるため、アライメントに手間がかかる。これは、虹彩によって眼底照明光束が遮光されて光量不足が生じる可能性が高い位置であっても微調整ができてしまったり、フレアの少ない画像が撮影できる可能性が高い位置であっても自動アライメントが作動してしまうようなことが生じるからである。
【００４２】
また、検者は、図示無きフォーカス指標投影光学系によるフォーカス指標像Ｓ１、Ｓ２が投影されるので、この指標像に基づいてフォーカス調整スイッチ８４ａを操作して、眼底のフォーカス合わせを行う。そして、アライメントの微調整及びフォーカス合わせが完了した後、検者が撮影スイッチ４ｂを押すことにより撮影が実行される。
【００４３】
なお、以上の説明においては、周辺撮影時において、瞳孔内を撮影照明光束が通過可能か否かを判断するようにしたが、標準撮影時においても、同様の判断を行うようにしてもよい。
【００４４】
なお、以上の説明においては、設定変更されたアライメント基準位置を基準として自動アライメントを作動させるための許容範囲を設定するような構成としたが、これに限るものではなく、設定変更されたアライメント基準位置を基準としてモニタ８に表示される観察像を眼底像から前眼部像に戻すための許容範囲を設定するようにしてもよい。
【００４５】
なお、以上の説明においては、前眼部観察状態において自動アライメントを作動させるような構成としたが、これに限るものではなく、検者のマニュアル操作でも本発明の適用は可能である。この場合、モニタ８に表示される前眼部像に基づいて検者が所望するアライメント状態になるように手動によるアライメント調整がなされる。そして、検者は、前眼部観察状態におけるアライメント調整が完了したら、スイッチ部８４に設けられた画面切換スイッチ８４ｃを押す。ここで、制御部８０は、第１のアライメント基準位置Ｏ1と角膜頂点位置の座標が一致しない場合もしくは第１のアライメント基準位置Ｏ1に対して所定の許容範囲外に（例えば、許容範囲Ａ）ある場合には、撮像素子６５の撮像面上における角膜頂点位置の座標をアライメント基準位置Ｏ2として設定する。そして、制御部８０は、前述のように設定変更されたアライメント基準位置Ｏ2と中間点Ｃとのアライメント偏位量Δｄ2を検出する。そして、制御部８０は、上記のように検出されるアライメント偏位量Δｄ2を用いて、モニタ８に眼底像が表示された状態における自動アライメント制御や電子アライメント指標Ｗ２の表示制御等を行う。
【００４６】
なお、以上の説明においては、撮像素子６５からの撮像信号に基づいて所定のアライメント基準位置に対する角膜頂点の座標位置から被検眼に対する装置本体のアライメント偏位量を算出するようにしたが、被検眼の瞳孔中心の座標位置を画像処理により検出し、所定のアライメント基準位置に対する瞳孔中心の座標位置から被検眼に対する装置本体のアライメント偏位量を算出するようにしてもよい。
【００４７】
以下に、本発明の第２の実施形態について説明する。図９は、第２実施形態について説明する図である。
【００４８】
図９（ａ）は標準撮影時におけるアライメント許容範囲の一例であり、図９（ｂ）は、周辺撮影を行う際のアライメント許容範囲の一例である。なお、図９（ｂ）は、開口穴７１ｆを光源７４の前に配置させることにより、右眼における乳頭を中心とする領域を撮影する場合のアライメント許容範囲である。
【００４９】
第２の実施形態では、眼底周辺撮影をする際の固視標の各呈示位置（８２〜８７）に対応するアライメント許容範囲が予め設定されており、メモリ８５に記憶されている。この場合、モニタ８に眼底像が表示された状態で検者によって行われるアライメントの微調整において、固視標の各呈示位置毎に良好な眼底像（例えば、フレアが少なく、眼底全体が鮮明）が取得される可能性が高い範囲内で微調整を行うことができるように、アライメント許容範囲が設定されている。そして、制御部８０は、メモリ８５から固視標の現在の呈示位置に対応するアライメント許容範囲を取得し、取得したアライメント許容範囲を用いて装置本体の移動指示を行う。なお、本実施形態において、標準撮影の際のアライメント許容範囲（Ｂ１）には、アライメント基準位置Ｏ1を中心とする円が設定される。また、右眼に対して呈示位置９５が選択された際のアライメント許容範囲（Ｂ２）には、アライメント基準位置Ｏ1に対して左方向に偏心した円が設定される。なお、これらのアライメント許容範囲の大きさは、一定で大きさであってもよいし、固視位置に応じて変化させるようにしてもよい。
【００５０】
ここで、例えば、スイッチ８４ｂにより右眼に対して呈示位置９５が選択されると、制御部８０は、メモリ８５から固視標の呈示位置９５に対応するアライメント許容範囲Ｂ２（図９（ｂ）参照）に設定する。ここで、制御部８０は、モニタ８に前眼部像が表示されている状態では、検出されるアライメント偏位量が許容範囲Ａ内か否かを判定すると共に、許容範囲Ａ外のときは自動アライメント動作を実行する。そして、制御部８０は、ＸＹＺ駆動部６の駆動制御による自動アライメントによって、アライメント偏位量が許容範囲Ａを満たすと、モニタ８の表示を前眼部から眼底像に切換える処理を行う。この場合、制御部８０は、自動的に眼底像に切り換えるようにしてもよいし、眼底像に切換える旨をモニタ８等で報知するようにしてもよい。
【００５１】
ここで、制御部８０は、自動切換もしくは画面切換スイッチ８４ｃから切換信号が入力されると、モニタ８に眼底像を表示する。そして、制御部８０は、前述のように検出されるアライメント偏位量が、前眼部表示状態における許容範囲Ａに対して広く設定された眼底像表示状態におけるアライメント許容範囲Ｂ２に入っているか否かにより、自動アライメントの作動の可否を判定する。すなわち、制御部８０は、アライメント偏位量Δｄが許容範囲Ｂ２を超えるまでは自動アライメントの作動を停止し、偏位量Δｄが許容範囲Ｂ２から外れた場合に自動アライメントの作動を停止する。
【００５２】
以上のように、眼底観察状態では、自動アライメントの許容範囲が広く設定されているため、検者のマニュアル操作によってアライメントの微調整を行うことができる。よって、検者は、所望する眼底像がモニタ８に表示されるようにアライメント調整を行う。この場合、本実施形態では、固視標の各呈示位置に応じてアライメント許容範囲を設定することにより、固視標の各呈示位置における良好な眼底画像が得られやすいアライメント許容範囲で自動アライメント動作が行われるため、撮影に適した良好な眼底画像を得るためのアライメント操作が容易となる。なお、モニタ８に眼底像が表示された状態で自動アライメントを作動させる場合、被検眼に周辺固視を行う際のアライメント許容範囲が図９（ａ）のような場合（Ｂ１）、撮影に適さない眼底画像が観察像として呈示される可能性が高まるため、アライメントに手間がかかる。これは、虹彩によって眼底照明光束が遮光されて光量不足が生じる可能性が高い位置であっても微調整ができてしまったり、フレアの少ない画像が撮影できる可能性が高い位置であっても自動アライメントが作動してしまうようなことが生じるからである。
【００５３】
なお、周辺撮影の際に設定される自動アライメントの許容範囲Ｂ２は、図１０に示すように、標準撮影の際のアライメント許容範囲Ｂ１に対して固視光学系７０によって被験者眼が誘導される視線方向とは反対方向に広くなるような設定しても良い。より具体的には、右眼の視線を装置側から見て右方向（被験者から見て左方向）に誘導する場合（呈示位置９５）には、装置側から見て左方向における自動アライメント許容範囲が広くなるように設定する。
【００５４】
なお、以上の説明においては、固視標の各呈示位置に対応する許容範囲を用いて自動アライメントを行うような構成としたが、許容範囲から外れた場合に装置本体の移動方向を表示モニタ８等で報知するようにしてもよい。また、許容範囲から外れた場合に、モニタ８に表示される観察像を眼底像から前眼部像に切換えるようにしてもよい。
【図面の簡単な説明】
【００５５】
【図１】本実施形態に係る眼底カメラの外観構成図である。
【図２】撮影部に収納される光学系及び制御系の概略構成図である。
【図３】固視標の呈示位置について説明する図である。
【図４】モニタの画面上に前眼部像が表示された際の図である。
【図５】被検眼に対する撮影部のアライメント偏位量の算出及びアライメント許容範囲について説明する図である。
【図６】アライメント基準位置の設定変更について説明する図である。
【図７】モニタの画面上に眼底像が表示された際の図である。
【図８】本実施形態の眼底カメラにおいて後述する第２のアライメント基準を設定する場合の動作について説明するためのフローチャートである。
【図９】第２実施形態について説明する図である。
【図１０】被験者眼が誘導される視線方向における自動アライメント許容範囲が他の方向より広くなる場合の図である。
【符号の説明】
【００５６】
３  撮影部（装置本体）
６  ＸＹＺ駆動部
８  モニタ
３０  眼底観察・撮影光学系
３８  観察用二次元撮像素子
５０  アライメント指標投影光学系
６０  前眼部観察光学系
６５  二次元撮像素子
７０  固視標呈示光学系
８０  制御部
８４ｃ  画面切換スイッチ
９１Ｌ、９１Ｒ、９２〜９７  固視標呈示位置
Ｏ1  第１のアライメント基準位置
Ｏ2  第２のアライメント基準位置
Ｍａ〜Ｍｄ  アライメント指標像
Ｐ  瞳孔判定領域
Δｄ、Δｄ1、Δｄ2  アライメント偏位量
Ａ、Ｂ  アライメント許容範囲
Ｗ２  電子アライメント指標
【図１】
2008006103.tif 000003
【図２】
2008006103.tif 000004
【図３】
2008006103.tif 000005
【図４】
2008006103.tif 000006
【図５】
2008006103.tif 000007
【図６】
2008006103.tif 000008
【図７】
2008006103.tif 000009
【図８】
2008006103.tif 000010
【図９】
2008006103.tif 000011
【図１０】
2008006103.tif 000012